(57)【要約】【課題】床等に孔をあける等の住宅改修を要せずに且つ便器の形状にかかわらず容易に設置することができ、さらに使用者が握りやすい形状のトイレ用手すりを提供する。【解決手段】床面に敷設するマット部材１５から垂直方向に立設させた支柱部材２０の上端に、上面が平坦部３１で構成されたアームレスト部材３０を取り付ける。【選択図】図２
0003137497.tif 000002
【実用新案登録請求の範囲】
【請求項１】
トイレに設置して身体を支えるためのトイレ用手すりであって、
床面に敷設するマット部材と、
前記マット部材から垂直方向に立設する支柱部材と、
前記支柱部材の上端に取り付けられ、上面が平坦部で構成されたアームレスト部材とを備えていることを特徴とするトイレ用手すり。
【請求項２】
請求項１において、
前記アームレスト部材は、長手方向の両端部の側壁が平面視でそれぞれ円弧状に形成された縦長の部材で構成されており、
前記アームレスト部材の長手方向の中間部の側壁は、前記円弧状の側壁に連続して湾曲状に窪んでいることを特徴とするトイレ用手すり。
【請求項３】
請求項１又は２において、
前記マット部材は、横長の部材で構成され、
前記支柱部材は、前記マット部材の長手方向の一端側に立設され、
前記マット部材の長手方向の中間部の側壁には切欠き部が形成されていることを特徴とするトイレ用手すり。
【請求項４】
請求項１乃至３のうち何れか１項において、
前記アームレスト部材は、樹脂材又はゴム材によって被覆されていることを特徴とするトイレ用手すり。
【考案の詳細な説明】
【技術分野】
【０００１】
本考案は、トイレに設置して身体を支えるためのトイレ用手すりに関するものである。
【背景技術】
【０００２】
従来より、例えば、特開２００２−２８２１７５号公報に開示されているように、トイレ用の手すりとして、床面に固定可能な一対の脚部と、一対の脚部を連結する梁部とを有する門型の本体フレームにアームレストフレームを取り付けた構成のものがある。
【考案の開示】
【考案が解決しようとする課題】
【０００３】
しかしながら、従来のトイレ用の手すりは、床面にビス孔をあける必要があるために住宅改修費を要し、また賃貸住宅のように床にビス孔をあけることができない場合には使用することができない。
【０００４】
そこで、床面にビス孔をあけることなくトイレに設置できるトイレ用手すりの開発が望まれており、このようなタイプの手すりとして、例えば、便器を挟んで左右一対に立設され上端にアームレストを有する脚部を連結フレームで連結し、この連結フレームから便器側に向かって延びる押圧部材を便器周りに押圧させることで、左右一対の脚部を便器周りで固定して設置するようにした構成のものが知られている。
【０００５】
しかし、このような構成の手すりでは、便器の形状によっては取り付けられない場合がある。具体的に、温水洗浄式のトイレの場合には、温水洗浄の操作ボックスが便器の右側に配置されており、この操作ボックスが脚部を配置する際に干渉して取り付けができなかったり、仮に取り付けることができたとしても、脚部の上端に取り付けられたアームレストは前後方向に延びているために操作ボックスとオーバーラップして操作しづらい等の問題があった。
【０００６】
また、別の課題として、従来のトイレ用の手すりでは、使用者が持つ部分の形状はパイプ状や板状となっており、便座から立ち上がるときに使用者が手すりを握りにくいという問題があった。
【０００７】
本考案は、かかる点に鑑みてなされたものであり、その目的とするところは、床等に孔をあける等の住宅改修を要せずに且つ便器の形状にかかわらず容易に設置することができ、さらに使用者が握りやすい形状のトイレ用手すりを提供することにある。
【課題を解決するための手段】
【０００８】
前記の課題を解決するために本考案のトイレ用手すりは、次に示す構成を有している。
【０００９】
すなわち、第１の考案では、身体を支えるための手すりであって、床面に敷設するマット部材と、前記マット部材から垂直方向に立設する支柱部材と、前記支柱部材の上端に取り付けられ、上面が平坦部で構成されたアームレスト部材とを備えている構成とする。
【００１０】
この構成によれば、トイレ等にマット部材を敷設するだけで手すりを設置することができ、床等に孔をあける等の住宅改修を要せず、また設置場所を簡単に変更することができる。さらに、従来のような左右一対に立設した脚部を有する手すりでは、例えば温水洗浄式のトイレに設置しようとすると、操作ボックスが邪魔になって設置できない場合があるが、本発明のトイレ用手すりは、マット部材を敷設するスペースさえあれば、どのようなタイプの便器に対しても設置することが可能であり汎用性がある。
【００１１】
また、アームレスト部材を手すりパイプ等で構成した場合には、使用者が便座に座っている状態からアームレスト部材に腕を置いて体重をかけて立ち上がろうとすると、パイプの湾曲面により圧力が集中して腕が押さえつけられて痛みを感じるおそれがあるが、本考案のように、アームレスト部材の上面を平坦部で構成すれば、使用者がアームレスト部材に腕を置いて体重をかけても、腕に加わる圧力が均等に分散されて痛みを感じることはなく、容易に立ち上がることができる。
【００１２】
第２の考案では、第１の考案において、前記アームレスト部材は、長手方向の両端部の側壁が平面視でそれぞれ円弧状に形成された縦長の部材で構成されており、前記アームレスト部材の長手方向の中間部の側壁は、前記円弧状の側壁に連続して湾曲状に窪んでいる構成とする。
【００１３】
この構成によれば、使用者がアームレスト部材の側周壁をどのような角度で握りにいったとしても、側周壁の曲面部分が連続しているために握りやすく、手すりにつかまってスムーズに立ち上がることができる。すなわち、従来の手すりのようなパイプ状や板状に形成されたアームレスト部材に比べて、使用者の持ちやすさが向上して使い勝手が良くなる。
【００１４】
第３の考案では、第１又は第２の考案において、前記マット部材は、横長の部材で構成され、前記支柱部材は、前記マット部材の長手方向の一端側に立設され、前記マット部材の長手方向の中間部の側壁には切欠き部が形成されている構成とする。
【００１５】
この構成によれば、マット部材を必要最小限の大きさに設定することができて省スペース化を図ることができる。具体的に、マット部材を矩形状に形成した場合には、便座より手前側にマット部材を配置しなければならず、マット部材に立設されている支柱部材やアームレスト部材は、便座から若干離れた位置、すなわち、使用者が手を伸ばさなければ届かない位置に配置されてしまうが、本考案のように、マット部材に切欠き部を形成すれば、マット部材の切欠き部を便座側に配置することで、便座から比較的近い位置にアームレスト部材を安定して配置することができ、使用者が握りやすい手すりを提供することができる。
【００１６】
第４の考案では、第１乃至第３の考案のうち何れか１つにおいて、前記アームレスト部材は、樹脂材又はゴム材によって被覆されている構成とする。
【００１７】
この構成によれば、使用者がアームレスト部材を握った際に、樹脂材やゴム材が指や手のひらに沿うように変形する。これにより、使用者の手が一層滑り難くなる
【考案の効果】
【００１８】
本考案によれば、トイレ等にマット部材を敷設するだけで手すりを設置することができ、床等に孔をあける等の住宅改修を要せず、また設置場所を簡単に変更することができる。また、アームレスト部材を手すりパイプ等で構成した場合には、使用者がアームレスト部材に腕を置いて体重をかけて立ち上がろうとすると、パイプの湾曲面で腕が押さえつけられて痛みを感じるおそれがあるが、本考案のように、アームレスト部材の上面を平坦部で構成すれば、使用者がアームレスト部材に腕を置いて体重をかけても痛みを感じることはなく、容易に立ち上がることができる。
【考案を実施するための最良の形態】
【００１９】
以下、本考案の実施形態を図面に基づいて詳細に説明する。なお、以下の好ましい実施形態の説明は、本質的に例示に過ぎず、本考案、その適用物或いはその用途を制限することを意図するものではない。
【００２０】
図１は、本考案の実施形態に係るトイレ用手すり１０の構成を示す正面図、図２は側面図、図３は平面図、図４はトイレ用手すり１０をトイレＴに設置した状態を示す平面図である。図１〜図４に示すように、このトイレ用手すり１０は、トイレＴ等に設置されて高齢者や身障者が便座５０から立ち上がる際、又は便座５０に座る際に身体を支えるためのものであり、床面に敷設するマット部材１５と、マット部材１５から垂直方向に立設する支柱部材２０と、支柱部材２０の上端に取り付けられたアームレスト部材３０とを備えている。
【００２１】
前記マット部材１５は、四隅のコーナー部が円弧状に面取りされた横長の金属製の板状体で構成され、その表面にはサビ止めや滑り止めのための樹脂材が貼着されている。このマット部材１５の長手方向の一端（図３では右端）には、後述する支柱部材２０の支柱フレーム２１のフランジ部２１ａに対応して該フランジ部２１ａの周方向に等間隔に支柱取付孔（図示せず）が形成されている。また、マット部材１５の長手方向の中間部の図３において下側の側壁には切欠き部１６が形成されている。
【００２２】
このような構成とすることで、マット部材１５を必要最小限の大きさに設定することができて省スペース化を図ることができる。具体的に、マット部材１５を矩形状に形成した場合には、トイレＴの便座５０より手前側にマット部材１５を配置しなければならず、マット部材１５に立設されている支柱部材２０やアームレスト部材３０は、便座５０から若干離れた位置、すなわち、使用者が手を伸ばさなければ届かない位置に配置されてしまうが、本考案のように、マット部材１５に切欠き部１６を形成すれば、図４に示すように、マット部材１５の切欠き部１６を便座５０側に配置することで、便座５０から比較的近い位置にアームレスト部材３０を配置することができ、使用者が握りやすい手すりを提供することができる。
【００２３】
前記支柱部材２０は、アームレスト部材３０を所定の高さ位置で支持するためのものであり、マット部材１５の幅方向（図３では上下方向）に間隔をあけて２本配設されている。そして、この支柱部材２０は、下端にマット部材１５と当接するフランジ部２１ａを有してマット部材１５から垂直方向に立設した円筒状の支柱フレーム２１と、支柱フレーム２１のフランジ部２１ａを覆うカバー部２２と、支柱フレーム２１の上端部に取り付けられ、アームレスト部材３０を固定する固定部２３とを備えている。
【００２４】
前記支柱フレーム２１のフランジ部２１ａには、周方向に等間隔に貫通孔（図示せず）が４つ形成されて、このフランジ部２１ａの貫通孔をマット部材１５の支柱取付孔に対応させて締結ボルト（図示せず）でマット部材１５に締結することで、支柱フレーム２１がマット部材１５に支柱フレーム２１が取り付けられる。
【００２５】
前記カバー部２２は、支柱フレーム２１の下端部及びフランジ部２１ａを覆うように形成され、支柱フレーム２１をマット部材１５に取り付けた後、このカバー部２２を取り付けることで、フランジ部２１ａに締結させた締結ボルトが外側から見えないようになり、見栄えが良くなる。
【００２６】
前記固定部２３は、アームレスト部材３０の下端部を下方から支持して所定の高さ位置で固定するためのものである。
【００２７】
前記アームレスト部材３０は、使用者が便座５０に座った状態から立ち上がる際、又は便座５０に座る際に腕を置いて体重をかけるためのものであり、その上面が平坦部３１で構成されている。また、アームレスト部材３０は縦長の部材で構成され、その長手方向（図３において上下方向）の両端部の側壁は平面視でそれぞれ円弧状に形成され、長手方向の中間部の側壁は円弧状の側壁に連続して湾曲状に窪んでいる。
【００２８】
このような構成とすることで、使用者がアームレスト部材３０の平坦部３１に腕を置いて体重をかけやすくなる。すなわち、アームレスト部材３０を手すりパイプ等で構成した場合には、使用者が座っている状態からアームレスト部材３０に腕を置いて体重をかけて立ち上がろうとすると、パイプの湾曲面により圧力が集中して腕が押さえつけられて痛みを感じるおそれがあるが、本考案のように、アームレスト部材３０の上面を平坦部３１で構成すれば、使用者がアームレスト部材３０に腕を置いて体重をかけても、腕に加わる圧力が均等に分散されて痛みを感じることはなく、容易に立ち上がることができる。
【００２９】
さらに、アームレスト部材３０の側壁を円弧状及びそれに連続する湾曲状に形成したため、使用者がアームレスト部材３０の側周壁をどのような角度で握りにいったとしても、側周壁の曲面部分が連続しているために握りやすく、手すりにつかまってスムーズに立ち上がることができる。
【００３０】
また、前記アームレスト部材３０は、樹脂材又はゴム材によって被覆されている。これにより、使用者がアームレスト部材３０の側壁を握ったり、上面の平坦部３１に腕を置いたりした際に、樹脂材やゴム材が指や手のひらやひじに沿うように変形する。これにより、使用者の手が一層滑り難くなる。なお、アームレスト部材３０自体の材質としては、金属、木材、樹脂等のいずれであってもよい。
【００３１】
次に、前記のように構成されたトイレ用手すり１０を使用者が使用する場合について説明する。例えば、図４に示すように、トイレ用手すり１０をトイレＴに設置しておき、使用者がトイレＴの便座５０から立ち上がる場合には、まず、使用者はアームレスト部材３０の円弧状や湾曲状に形成された側周壁における、使用者が握りやすい部分に右手を延ばして指を引っかけ、右腕をアームレスト部材３０の上面の平坦部３１に置いて体重をかけて立ち上がる。このとき、左手でアームレスト部材３０を握って補助し、両手を使って立ち上がるようにしてもよい。この立ち上がり時には、使用者がマット部材１５に乗った状態で且つマット部材１５自体にも重量があるため、支柱部材２０及びアームレスト部材３０がぐらつくことはない。
【００３２】
また、使用者が便座５０に座る場合には、まず、使用者はアームレスト部材３０の平坦部３１に手のひらを置き、身体をアームレスト部材３０で支えた状態でゆっくりと後ろ向きに振り返りながら、便座５０に腰を掛けるようにする。
【００３３】
以上のように、本考案の実施形態に係るトイレ用手すり１０によれば、トイレＴにマット部材１５を敷設するだけでトイレ用手すり１０を設置することができ、床等に孔をあける等の住宅改修を要せず、また設置場所を簡単に変更することができる。さらに、従来のような左右一対に立設した脚部を有する手すりでは、例えば温水洗浄式のトイレに設置しようとすると、操作ボックスが邪魔になって設置できない場合があるが、本発明のトイレ用手すり１０は、マット部材１５を敷設するスペースさえあれば、どのようなタイプの便器に対しても設置することが可能であり汎用性がある。
【００３４】
また、アームレスト部材３０を手すりパイプ等で構成した場合には、使用者が便座５０に座っている状態からアームレスト部材３０に腕を置いて体重をかけて立ち上がろうとすると、パイプの湾曲面により圧力が集中して腕が押さえつけられて痛みを感じるおそれがあるが、本考案のように、アームレスト部材３０の上面を平坦部３１で構成すれば、使用者がアームレスト部材３０に腕を置いて体重をかけても、腕に加わる圧力が均等に分散されて痛みを感じることはなく、容易に立ち上がることができる。
【産業上の利用可能性】
【００３５】
以上説明したように、本考案は、床等に孔をあける等の住宅改修を要せずに且つ便器の形状にかかわらず容易に設置することができ、さらに使用者が握りやすい形状のトイレ用手すりを提供することができるという実用性の高い効果が得られることから、きわめて有用で産業上の利用可能性は高い。
【図面の簡単な説明】
【００３６】
【図１】本考案の実施形態に係るトイレ用手すりの構成を示す正面図である。
【図２】本実施形態に係るトイレ用手すりの構成を示す側面図である。
【図３】本実施形態に係るトイレ用手すりの構成を示す平面図である。
【図４】トイレ用手すりの使用状態を説明する平面図である。
【符号の説明】
【００３７】
１０    トイレ用手すり
１５    マット部材
１６    切欠き部
２０    支柱部材
３１    平坦部
３０    アームレスト部材
【図１】
0003137497.tif 000003
【図２】
0003137497.tif 000004
【図３】
0003137497.tif 000005
【図４】
0003137497.tif 000006